【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
ワイヤレスネットワークにおける複数の局（ＳＴＡ）と通信するアクセスポイント（ＡＰ）を動作させる方法であって、
ターゲット局（ＳＴＡ）の媒体使用効率に少なくとも部分的に基づいて、前記ワイヤレスネットワークにおける前記複数のＳＴＡのうちの前記ターゲットＳＴＡを識別すること、ここにおいて、前記ターゲットＳＴＡの前記媒体使用効率は、前記複数のＳＴＡの全てにデータを送信するのに費やされる総時間に対する前記ＡＰが前記ターゲットＳＴＡにデータを送信するのに費やす時間のパーセンテージに基づく、と、
前記ターゲットＳＴＡに、前記ワイヤレスネットワークにおける候補ＳＴＡのセットへ中継器選択要求をブロードキャストさせるために、前記ターゲットＳＴＡに中継器選択トリガを送ること、ここにおいて、前記中継器選択トリガは、前記ＡＰと前記ターゲットＳＴＡとの間の直接リンクに関連するメトリクスのセットを含み、前記中継器選択要求は、前記メトリクスのセットを含む、
前記メトリクスのセットに少なくとも部分的に基づいて、前記候補ＳＴＡのセットにおける１つまたは複数の候補ＳＴＡから１つまたは複数の中継器選択応答を受信することと、
前記１つまたは複数の中継器選択応答に少なくとも部分的に基づいて、前記１つまたは複数の候補ＳＴＡから中継ＳＴＡを選択すること、ここにおいて、前記選択された中継ＳＴＡは、前記ＡＰと前記ターゲットＳＴＡの間でデータを中継するためのものである、と
を備える、方法。
【請求項２】
前記ターゲットＳＴＡは、前記ワイヤレスネットワークにおける前記複数のＳＴＡの中で最も低い媒体使用効率を有する、請求項１に記載の方法。
【請求項３】
前記メトリクスのセットは、前記ターゲットＳＴＡによって測定された前記ＡＰの受信信号強度インジケーション（ＲＳＳＩ）値、前記直接リンクのスループット、前記直接リンクにおける前記ターゲットＳＴＡによる媒体使用、前記直接リンクのグッドプット、および前記直接リンクによってサポートされる変調コーディングスキーム（ＭＣＳ）、から成るグループのうちの少なくとも１つのメンバを備える、請求項１に記載の方法。
【請求項４】
前記中継器選択要求は、前記候補ＳＴＡが前記ＡＰと前記ターゲットＳＴＡの間でデータを中継することによって前記直接リンクの前記スループットを改善することができるかどうかに少なくとも部分的に基づいて、前記候補ＳＴＡのセットにおける各候補ＳＴＡに、前記１つまたは複数の中継器選択応答のそれぞれ１つを選択的に送信させる、請求項３に記載の方法。
【請求項５】
前記中継器選択要求は、各候補ＳＴＡに、
前記候補ＳＴＡと前記ＡＰの間の第１の中継リンクのスループットを推定することと、
前記候補ＳＴＡと前記ターゲットＳＴＡの間の第２の中継リンクのスループットを推定することと、
前記第１の中継リンクの前記推定されたスループットが少なくとも第１のしきい値利得分だけ前記直接リンクの前記スループットよりも大きく、前記第２の中継リンクの前記推定されたスループットが少なくとも第２のしきい値利得分だけ前記直接リンクの前記スループットよりも大きい場合、前記それぞれの中継器選択応答を送信することと
をさらに行わせる、請求項４に記載の方法。
【請求項６】
前記第２の中継リンクのチャネルまたは周波数帯域は、前記第１の中継リンクのチャネルまたは周波数帯域とは異なる、請求項５に記載の方法。
【請求項７】
前記それぞれの中継器選択応答は、前記第１の中継リンクの前記推定されたスループットおよび前記第２の中継リンクの前記推定されたスループットを含む、請求項５に記載の方法。
【請求項８】
前記それぞれの中継器選択応答は、前記第２の中継リンクのチャネルまたは周波数、前記第１の中継リンクによってサポートされるＭＣＳ、前記第１の中継リンクのグッドプット、および前記候補ＳＴＡによって測定された前記ＡＰのＲＳＳＩ値、から成るグループのうちの少なくとも１つのメンバをさらに含む、請求項７に記載の方法。
【請求項９】
前記中継ＳＴＡを選択することは、
前記中継器選択応答内に含まれる前記第１の中継リンクの前記推定されたスループットおよび前記第２の中継リンクの前記推定されたスループットに少なくとも部分的に基づいて、前記１つまたは複数の中継器選択応答の各々に関連付けられた、組み合わせられたスループット利得を決定することと、
前記中継ＳＴＡとして、最も高い組み合わせられたスループット利得に関連付けられた前記候補ＳＴＡを選択することと
を備える、請求項７に記載の方法。
【請求項１０】
前記組み合わせられたスループット利得は、前記直接リンクの前記スループットに対する、前記第１の中継リンクの前記推定されたスループットまたは前記第２の中継リンクの前記推定されたスループットのうちの最も低いものの比率である、請求項９に記載の方法。
【請求項１１】
アクセスポイント（ＡＰ）であって、
ターゲット局（ＳＴＡ）の媒体使用効率に少なくとも部分的に基づいて、ワイヤレスネットワークにおける前記ターゲットＳＴＡを識別するための手段、ここにおいて、前記ターゲットＳＴＡの前記媒体使用効率は、複数のＳＴＡの全てにデータを送信するのに費やされる総時間に対する前記ＡＰが前記ターゲットＳＴＡにデータを送信するのに費やす時間のパーセンテージに基づく、と、
前記ターゲットＳＴＡに、前記ワイヤレスネットワークにおける候補ＳＴＡのセットへ中継器選択要求をブロードキャストさせるために、前記ターゲットＳＴＡに中継器選択トリガを送るための手段、ここにおいて、前記中継器選択トリガは、前記ＡＰと前記ターゲットＳＴＡとの間の直接リンクに関連するメトリクスのセットを含み、前記中継器選択要求は、前記メトリクスのセットを含む、と、
前記メトリクスのセットに少なくとも部分的に基づいて、前記候補ＳＴＡのセットにおける１つまたは複数の候補ＳＴＡから１つまたは複数の中継器選択応答を受信するための手段と、
前記１つまたは複数の中継器選択応答に少なくとも部分的に基づいて、前記１つまたは複数の候補ＳＴＡから中継ＳＴＡを選択するための手段、ここにおいて、前記選択された中継ＳＴＡは、前記ＡＰと前記ターゲットＳＴＡの間でデータを中継するためのものである、と
を備える、ＡＰ。
【請求項１２】
前記メトリクスのセットは、前記ターゲットＳＴＡによって測定された前記ＡＰの受信信号強度インジケーション（ＲＳＳＩ）値、前記直接リンクのスループット、前記直接リンクにおける前記ターゲットＳＴＡによる媒体使用、前記直接リンクのグッドプット、および前記直接リンクによってサポートされる変調コーディングスキーム（ＭＣＳ）、から成るグループのうちの少なくとも１つのメンバを備える、請求項１１に記載のＡＰ。
【請求項１３】
前記中継器選択要求は、前記候補ＳＴＡが前記ＡＰと前記ターゲットＳＴＡの間でデータを中継することによって前記直接リンクの前記スループットを改善することができるかどうかに少なくとも部分的に基づいて、前記候補ＳＴＡのセットにおける各候補ＳＴＡに、前記１つまたは複数の中継器選択応答のそれぞれ１つを選択的に送信させる、請求項１２に記載のＡＰ。
【請求項１４】
前記中継器選択要求は、各候補ＳＴＡに、
前記候補ＳＴＡと前記ＡＰの間の第１の中継リンクのスループットを推定することと、
前記候補ＳＴＡと前記ＡＰの間の第２の中継リンクのスループットを推定することと、
前記第１の中継リンクの前記推定されたスループットが少なくとも第１のしきい値利得分だけ前記直接リンクの前記スループットよりも大きく、前記第２の中継リンクの前記推定されたスループットが少なくとも第２のしきい値利得分だけ前記直接リンクの前記スループットよりも大きい場合、前記それぞれの中継器選択応答を送信することと
をさらに行わせる、請求項１３に記載のＡＰ。
【請求項１５】
前記第２の中継リンクのチャネルまたは周波数帯域は、前記第１の中継リンクのチャネルまたは周波数帯域とは異なる、請求項１４に記載のＡＰ。